(57)【要約】【課題】施設の設備が非稼働状態とみなされる期間における電力使用についての評価及び当該期間において節約可能な電力に関する情報を知ることができる表示方法、プログラム及び表示システムを提供する。【解決手段】表示方法は、情報端末３０が有する表示部３１に情報を表示する方法である。表示方法は、抽出ステップと、表示ステップとを含む。抽出ステップは、施設における複数の設備の各々について、当該設備で計測された当該設備の電力に関連する電力情報のうち、少なくとも当該設備が非稼働状態とみなされる期間の電力情報を非稼働情報として抽出する。表示ステップは、複数の設備の各々について、非稼働情報に基づいた期間における電力使用の評価結果及び非稼働情報で表される電力のうち節約可能な改善電力に関連する改善情報を、表示部３１に表示させる。【選択図】図１
2019144966.tif 000002
【特許請求の範囲】
【請求項１】
情報端末が有する表示部に情報を表示する表示方法であって、
施設における複数の設備の各々について、当該設備で計測された当該設備の電力に関連する電力情報のうち、少なくとも当該設備が非稼働状態とみなされる期間の電力情報を非稼働情報として抽出する抽出ステップと、
前記複数の設備の各々について、前記非稼働情報に基づいた前記期間における電力使用の評価結果及び前記非稼働情報で表される電力のうち節約可能な改善電力に関連する改善情報を、前記表示部に表示させる表示ステップとを、
含む表示方法。
【請求項２】
前記表示ステップは、
前記非稼働情報で表される電力に対応付けられた色で前記評価結果を、前記表示部に表示させる
請求項１に記載の表示方法。
【請求項３】
前記表示ステップは、
前記評価結果を時系列に並べて前記表示部に表示させる
請求項１又は２に記載の表示方法。
【請求項４】
前記時系列は、年、月及び週のいずれかである
請求項３に記載の表示方法。
【請求項５】
前記時系列を週及び日のいずれかとして前記評価結果が表示されている場合に特定の設備に対して表示内容を変更する指示が前記情報端末で受け付けられると、
前記表示ステップは、
前記特定の設備における特定月の前記非稼働情報、又は前記特定の設備における特定日の前記非稼働情報を、時間経過に応じた電力グラフで前記表示部に表示させる
請求項４に記載の表示方法。
【請求項６】
前記表示ステップは、
前記電力グラフを前記表示部に表示させる場合に、前記期間の開始時刻、前記期間の終了時刻、及び前記改善電力を求める基準となる基準電力をそれぞれ表す線分を、前記表示部にさらに表示させる
請求項５に記載の表示方法。
【請求項７】
前記表示ステップは、
前記期間において、前記改善電力が存在する場合には、前記電力グラフの背景色に色付けをして前記電力グラフを前記表示部に表示させる
請求項５又は６に記載する表示方法。
【請求項８】
コンピュータに、
請求項１〜７のいずれか一項に記載の表示方法を、
実行させるためのプログラム。
【請求項９】
情報端末が有する表示部に情報を表示する表示システムであって、
施設における複数の設備の各々について、当該設備で計測された当該設備の電力に関連する電力情報のうち、少なくとも当該設備が非稼働状態とみなされる期間の電力情報を非稼働情報として抽出する抽出部と、
前記複数の設備の各々について、前記非稼働情報に基づいた前記期間における電力使用の評価結果及び前記非稼働情報で表される電力のうち節約可能な改善電力に関連する改善情報を、前記表示部に表示させる表示制御部とを、
備える表示システム。
【発明の詳細な説明】
【技術分野】
【０００１】
本開示は、一般に表示方法、プログラム及び表示システムに関し、より詳細には、施設で消費された電力量に関する情報を表示する表示方法、プログラム及び表示システムに関する。
【背景技術】
【０００２】
従来、電力エネルギーを的確に監視する技術が知られている（例えば、特許文献１参照）。特許文献１の電力エネルギー監視システムは、日単位や月単位などの長時間、長期間に亘る電力エネルギー使用量の予測値および目標値を、工場、管理センタなどの事業所別に高い精度で求めて、電力エネルギーを的確に監視している。
【先行技術文献】
【特許文献】
【０００３】
【特許文献１】特開２０１０−２１１７８０号公報
【発明の概要】
【発明が解決しようとする課題】
【０００４】
しかしながら、特許文献１では、事業所（施設）の設備が非稼働状態とみなされる期間における電力使用についての評価、及び当該期間において節約可能な電力について利用者は知ることができない。
【０００５】
そこで、本開示は上記事由に鑑みてなされており、施設の設備が非稼働状態とみなされる期間における電力使用についての評価及び当該期間において節約可能な電力に関する情報を知ることができる表示方法、プログラム及び表示システムを提供することを目的とする。
【課題を解決するための手段】
【０００６】
本開示の一態様に係る表示方法は、情報端末が有する表示部に情報を表示する方法である。前記表示方法は、抽出ステップと、表示ステップとを含む。前記抽出ステップは、施設における複数の設備の各々について、当該設備で計測された当該設備の電力に関連する電力情報のうち、少なくとも当該設備が非稼働状態とみなされる期間の電力情報を非稼働情報として抽出する。前記表示ステップは、前記複数の設備の各々について、前記非稼働情報に基づいた前記期間における電力使用の評価結果及び前記非稼働情報で表される電力のうち節約可能な改善電力に関連する改善情報を、前記表示部に表示させる。
【０００７】
本開示の一態様に係るプログラムは、コンピュータに、前記表示方法を、実行させるためのプログラムである。
【０００８】
本開示の一態様に係る表示システムは、情報端末が有する表示部に情報を表示するシステムである。前記表示システムは、抽出部と、表示制御部とを備える。前記抽出部は、施設における複数の設備の各々について、当該設備で計測された当該設備の電力に関連する電力情報のうち、少なくとも当該設備が非稼働状態とみなされる期間の電力情報を非稼働情報として抽出する。前記表示制御部は、前記複数の設備の各々について、前記非稼働情報に基づいた前記期間における電力使用の評価結果及び前記非稼働情報で表される電力のうち節約可能な改善電力に関連する改善情報を、前記表示部に表示させる。
【発明の効果】
【０００９】
本開示によると、施設の設備が非稼働状態とみなされる期間における電力使用についての評価及び当該期間において節約可能な電力に関する情報を知ることができる。
【図面の簡単な説明】
【００１０】
【図１】図１は、本開示の一実施形態に係る表示システムの構成を示すブロック図である。
【図２】図２は、同上の表示システムを含むシステムの構成図である。
【図３】図３は、同上の表示システムが表示する第１画面の一例を示す図である。
【図４】図４は、同上の表示システムが表示する第２画面の一例を示す図である。
【図５】図５は、同上の表示システムが表示する第３画面の一例を示す図である。
【図６】図６は、同上の表示システムが表示する第４画面の一例を示す図である。
【図７】図７は、同上の表示システムが表示する第５画面の一例を示す図である。
【図８】図８は、同上の表示システムが表示する第６画面の一例を示す図である。
【発明を実施するための形態】
【００１１】
以下に説明する実施形態及び変形例は、本開示の一例に過ぎず、本開示は、実施形態及び変形例に限定されることなく、この実施形態及び変形例以外であっても、本開示に係る技術的思想を逸脱しない範囲であれば、設計等に応じて種々の変更が可能である。
【００１２】
（実施形態）
本実施形態に係る表示方法、プログラム及び表示システムについて、図１〜図８を用いて説明する。
【００１３】
（１）全体概要
本実施形態では、施設で計測された電力に関する電力量情報を表示する機能を、基本的な機能として有する表示システムについて説明する。
【００１４】
本実施形態においては、コンピュータシステムが備える表示システム１０は、図１、図２に示すように、情報端末３に表示するコンテンツを作成する表示制御装置１にて構成される。ここでいう「施設」は、電力の供給を受けるビル等の施設を意味しており、電力会社等の電気事業者から電力の供給を受ける施設だけでなく、太陽光発電設備等の発電設備から電力の供給を受ける施設も含む。
【００１５】
施設５に設けられた計測システム２０は、施設５における電力の消費データ（消費電力量）を取得する。具体的には、計測システム２０は、施設５における複数の分岐回路について、消費電力量を消費データとして取得する。施設５における複数の分岐回路の各々には負荷機器５０が接続されている。負荷機器５０は、例えば施設５に設けられた機器であり、電力を消費する電気機器である。負荷機器５０は、例えば照明器具５０ａ〜５０ｃ、空調機器５０ｄ〜５０ｆ等である。
【００１６】
蓄積サーバ２は、計測システム２０にネットワーク４を介して接続される。蓄積サーバ２は、計測システム２０が計測した複数の分岐回路に対する計測値を分岐回路ごとに時系列に記憶している。
【００１７】
表示制御装置１は、図２に示すように、施設５に設けられた蓄積サーバ２にネットワーク４を介して接続される。また、表示制御装置１は、図２に示すように、表示部３１を備える情報端末３にネットワーク４を介して接続される。
【００１８】
情報端末３は、表示システム１０（表示制御装置１）で出力された情報（コンテンツ）を表示部３１に表示する。これにより、情報端末３は、表示システム１０で作成された情報（コンテンツ）を、情報端末３の所有者に対して提示することが可能となる。ここで、所有者は、例えば、施設５の管理者である。
【００１９】
（２）構成
次に、本実施形態に係る表示システム１０、計測システム２０、蓄積サーバ２及び情報端末３の構成について説明する。
【００２０】
（２．１）計測システム
まず、本実施形態の計測システム２０の構成について説明する。
【００２１】
計測システム２０は、図２に示すように、複数のコントローラ２１と、電流センサ２２〜２８とを備えている。また、施設５には、系統電源９に電気的に接続される受変電設備６１（キュービクル）が設けられている。なお、複数のコントローラ２１を個別に表す必要がある場合には、コントローラ２１ａ〜２１ｃと記載する。
【００２２】
複数のコントローラ２１は、少なくとも１つの電流センサに電気的に接続されている。具体的には、コントローラ２１ａは、電流センサ２２に電気的に接続されている。コントローラ２１ｂは、電流センサ２３〜２５に電気的に接続されている。コントローラ２１ｃは、電流センサ２６〜２８に電気的に接続されている。電流センサ２２は、受変電設備６１の一次側に設けられ、幹線を流れる電流の値を計測する。電流センサ２３〜２９は、複数の分岐ブレーカ６２に対応して設けられ、複数の分岐回路に流れる電流の値をそれぞれ計測する。ここでいう「分岐回路」は、受変電設備６１及び複数の分岐ブレーカ６２にて幹線から分岐された各回路を意味する。分岐回路には、分岐ブレーカ６２に接続される配線、照明器具や調理家電等の負荷機器５０、コンセント（アウトレット）、壁スイッチ等を含んでいる。なお、複数の分岐ブレーカ６２を個別に表す必要がある場合には、分岐ブレーカ６２ａ〜６２ｆと記載する。例えば、分岐ブレーカ６２ｃで分岐された分岐回路は、分岐ブレーカ６２ｃと照明器具５０ａ，５０ｂとを含む回路である。また、受変電設備６１で分岐された分岐回路は、受変電設備６１と分岐ブレーカ６２ａ，６２ｂの各々で分岐された分岐回路とを含む回路である。
【００２３】
複数のコントローラ２１の各々は、電気的に接続された１つ以上の電流センサの出力を用いて、複数の負荷機器５０及び受変電設備６１の各々について、消費電力と消費電力量（電力量）との少なくとも一方を計測する。複数のコントローラ２１の各々は、計測された計測値を、施設５に設けられたルータ７を介して蓄積サーバ２へ送信する。例えば、コントローラ２１ａは、受変電設備６１で分岐される分岐回路で使用される電力量を計測する。コントローラ２１ｂは、複数の負荷機器５０（照明器具５０ａ〜５０ｃ）の各々で使用される電力量の値を、負荷機器５０ごとに計測する。コントローラ２１ｃは、複数の負荷機器５０（空調機器５０ｄ〜５０ｆ）の各々で使用される電力量の値を、負荷機器５０ごとに計測する。
【００２４】
上述したように、計測システム２０の計測値は、複数のコントローラ２１で計測される消費電力と消費電力量との少なくとも一方を含んでいる。つまり、計測値は、瞬時電力を表す消費電力であってもよいし、あるいは一定時間における電力の消費量（使用量）を表す消費電力量であってもよい。また、計測値は、消費電力と消費電力量との両方であってもよい。本実施形態では一例として、計測値は、消費電力を一定時間（例えば正時から３０分間隔）で積算した消費電力量である。
【００２５】
コントローラ２１は、計測対象である設備（受変電設備６１又は負荷機器５０）の計測値と、計測対象である受変電設備６１又は負荷機器５０を識別する識別情報とを対応付けて、ルータ７を介して蓄積サーバ２に送信する。識別情報とは、コントローラによって電力量の計測が可能な回路に割り当てられた情報である。例えば、図２に示す受変電設備６１には、識別情報として“回路［３１−１］”が割り当てられている。
【００２６】
（２．２）蓄積サーバ
蓄積サーバ２は、計測システム２０が計測した計測値（例えば消費電力量）を記憶する。つまり、蓄積サーバ２は、ＲＯＭ（Read Only Memory）、ＲＡＭ（Random Access Memory）、またはＥＥＰＲＯＭ（Electrically Erasable Programmable Read Only Memory）等から選択されるデバイスを有している。このデバイスに、計測システム２０が計測した計測値が時系列に記憶される。
【００２７】
蓄積サーバ２は、識別情報ごとに、つまり計測対象の設備ごとに、計測された計測値を時系列に記憶する。
【００２８】
蓄積サーバ２は、計測対象である複数の設備（受変電設備６１及び複数の負荷機器５０）と、複数の識別情報とを一対一に対応付けて記憶している。
【００２９】
（２．３）表示システム
次に、本実施形態の表示システム１０の構成について説明する。
【００３０】
表示システム１０は、上述したように、本実施形態では表示制御装置１にて構成されている。表示制御装置１は、情報端末３及び蓄積サーバ２にネットワーク４を介して接続される。
【００３１】
表示制御装置１は、図１に示すように、処理部１１と、通信部１２とを備える。表示制御装置１は、ＣＰＵ（Central Processing Unit）及びメモリを有している。ＣＰＵがメモリに格納されているプログラムを実行することにより、処理部１１の機能を実現する。プログラムは、ここではインターネット等の電気通信回線を通じて、あるいはメモリカード等の記録媒体に記録されて提供されるが、コンピュータのメモリに予め記録されていてもよい。
【００３２】
処理部１１は、図１に示すように、取得部１００、抽出部１０１及び表示制御部１０２を有している。
【００３３】
取得部１００は、計測システム２０が施設５における複数の計測点でそれぞれ計測された複数の設備の電力量に関連する電力量情報を、蓄積サーバ２から取得する。具体的には、取得部１００は、電流センサ２２〜２８で計測された複数の設備（受変電設備６１及び負荷機器５０）の消費電力量と、計測された日時とを含む電力量情報を、蓄積サーバ２から取得する。
【００３４】
抽出部１０１は、各設備について、当該設備が非稼働状態の開始とみなされる開始時刻、及び当該設備の非稼働状態の終了とみなされる終了時刻を、予め記憶している。例えば、抽出部１０１は、基準電力が継続する期間の開始時刻及び終了時刻を、設備が非稼働状態の開始とみなされる開始時刻、及び非稼働状態の終了とみなされる終了時刻として、予め記憶する。ここで、基準電力とは、設備が稼働していないとみなされる期間における安定した電力である。基準電力は、設備の待機電力、又は待機電力に所定値を加えた電力である。非稼働状態とみなされる期間では、例えば、計測された大量の計測値（消費電力量）を用いて、複数の日においてそれぞれ発生する複数の基準電力の開始時刻の平均の時刻を当該期間の開始時刻とし、複数の終了時刻の平均の時刻を当該期間の終了時刻とする。なお、本実施形態では、複数の基準電力の開始時刻の平均の時刻を設備が非稼働状態の開始とみなされる開始時刻とし、複数の基準電力の終了時刻の平均の時刻を設備が非稼働状態の開始とみなされる終了時刻としたが、これに限定されない。複数の基準電力の開始時刻のうち最も早い開始時刻又は最も遅い開始時刻を、非稼働状態の開始とみなされる開始時刻としてもよい。または、複数の基準電力の開始時刻の中間値を非稼働状態の開始とみなされる開始時刻としてもよい。同様に、複数の基準電力の終了時刻のうち最も早い終了時刻又は最も遅い終了時刻を、非稼働状態の終了とみなされる終了時刻としてもよい。または、複数の基準電力の終了時刻の中間値を非稼働状態の開始とみなされる終了時刻としてもよい。
【００３５】
抽出部１０１は、各設備について、当該設備に対応する複数の電力量情報のうち、少なくとも当該設備が非稼働状態の開始とみなされる開始時刻から当該設備の非稼働状態の終了とみなされる終了時刻までの期間の電力量情報を非稼働情報として抽出する。本実施形態では、抽出部１０１は、各設備について、非稼働情報の他、当該設備の稼働期間におけるすべての電力量情報を稼働情報として抽出する。つまり、抽出部１０１は、各設備について、非稼働状態の期間の電力量情報だけでなく、稼働状態の期間の電力量情報も取得する。
【００３６】
抽出部１０１は、各設備について、当該設備の非稼働状態での基準電力を予め記憶している。例えば、計測された大量の計測値を用いて、複数の日においてそれぞれ発生する非稼働状態時の電力の平均値を基準電力として記憶する。なお、本実施形態では、複数の非稼働状態時の電力の平均値を基準電力としたが、これに限定されない。複数の非稼働状態時の電力の最小値、最大値、中間値を基準電力としてもよい。
【００３７】
抽出部１０１は、各設備について、取得した複数の電力量情報（非稼働情報）のうち基準電力を超えている消費電力量を含む電力量情報（非稼働情報）を抽出する。抽出部１０１は、抽出した電力量情報と、当該電力量情報に含まれる消費電力量に対する節約可能な電力量（改善電力量）とを含む超過電力量情報を生成する。例えば、基準電力を超えている消費電力量は、非稼働とみなされる期間に負荷機器５０の電源の切り忘れ等により発生している電力である。ここで、改善電力量は、計測された消費電力量と基準電力との差分である。以降、本実施形態では、負荷機器５０の電源の切り忘れにより発生した電力を超過電力量として説明する。
【００３８】
表示制御部１０２は、情報端末３からの要求に応じた画面を作成し、情報端末３の表示部３１に表示する。
【００３９】
表示制御部１０２は、情報端末３からの要求に応じて、計測が開始されてから現在までの期間におけるすべての超過電力量情報に基づいた第１画面２００（コンテンツ）を作成し、表示部３１に表示する。
【００４０】
表示制御部１０２は、情報端末３からの要求に応じて、指定された年におけるすべての超過電力量情報に基づいた第２画面３００（コンテンツ）を作成し、表示部３１に表示する。
【００４１】
表示制御部１０２は、情報端末３からの要求に応じて、指定された月におけるすべての超過電力量情報に基づいた第３画面４００（コンテンツ）を作成し、表示部３１に表示する。
【００４２】
表示制御部１０２は、情報端末３からの要求に応じて、指定された週におけるすべての超過電力量情報に基づいた第４画面５００（コンテンツ）を作成し、表示部３１に表示する。
【００４３】
表示制御部１０２は、情報端末３からの要求に応じて、特定の設備について指定された月におけるすべての非稼働情報及びすべての稼働情報と、当該月におけるすべての超過電力量情報とに基づいた第５画面６００（コンテンツ）を作成し、表示部３１に表示する。
【００４４】
表示制御部１０２は、情報端末３からの要求に応じて、特定の設備について指定された日におけるすべての非稼働情報及びすべての稼働情報と、当該月におけるすべての超過電力量情報とに基づいた第６画面７００（コンテンツ）を作成し、表示部３１に表示する。
【００４５】
表示制御部１０２は、作成した画面を情報端末３に送信し、表示部３１に表示させる。
【００４６】
通信部１２は、ネットワーク４に接続されることで、表示制御装置１と情報端末３との間、及び表示制御装置１と蓄積サーバ２との間の通信を可能にする。
【００４７】
（２．４）情報端末
次に、本実施形態の情報端末３の構成について説明する。
【００４８】
情報端末３は、一例として表示部３１を備えるスマートフォンである。情報端末３は、図３に示すように、表示部３１の他、処理部３２と、通信部３３と、入力部３４と、記憶部３５とを備える。情報端末３は、ＣＰＵ及びメモリを有しており、ＣＰＵがメモリに格納されているプログラムを実行することにより、コンピュータを処理部３２として機能させる。プログラムは、ここではインターネット等の電気通信回線を通じて、あるいはメモリカード等の記録媒体に記録されて提供されるが、コンピュータのメモリに予め記録されていてもよい。
【００４９】
表示部３１は、例えば液晶ディスプレイや有機ＥＬ（electroluminescence）ディスプレイのような薄型のディスプレイ装置である。
【００５０】
処理部３２は、表示部３１を制御することにより、表示制御装置１の表示制御部１０２が作成した画面を表示部３１に表示する機能を持つ。つまり、情報端末３は、専用のアプリケーションソフトをインストールし、このアプリケーションソフトを起動することにより、表示部３１を制御するための処理部３２としての機能を実現する。
【００５１】
通信部３３は、ネットワーク４に接続されることで、情報端末３と表示制御装置１（表示システム１０）との間の通信を可能にする。ここでは、情報端末３はスマートフォンであるから、通信部３３は、通信事業者が提供する携帯電話網（キャリア網）を介して、例えばインターネットからなるネットワーク４に接続される。携帯電話網には、例えば３Ｇ（第３世代）回線、ＬＴＥ（Long Term Evolution）回線等がある。なお、通信部３３は、公衆無線ＬＡＮ（Local Area Network）を介してネットワーク４に接続されてもよい。
【００５２】
入力部３４は、情報端末３の所有者の操作を受け付ける機能を有している。本実施形態では、情報端末３はタッチパネルディスプレイを搭載したスマートフォンであり、タッチパネルディスプレイが表示部３１及び入力部３４として機能する。そのため、以下の説明では、表示部３１に表示される画面上のボタンに対する種々のタッチ操作を、「タップ」等と表現する。ただし、入力部３４は、タッチパネルディスプレイに限らず、例えばキーボードやポインティングデバイス、メカニカルなスイッチ等であってもよい。
【００５３】
記憶部３５は、例えばフラッシュメモリ等の電気的に書換可能な不揮発性の半導体メモリで構成される。
【００５４】
情報端末３は、上記構成により表示制御装置１で作成された画面（コンテンツ）を表示することができる。
【００５５】
なお、情報端末３がスマートフォンで構成されることは一例である。情報端末３は、携帯電話機、パーソナルコンピュータ等で構成されてもよい。
【００５６】
（３）動作説明
以下、本実施形態に係る表示システム１０の動作について説明する。
【００５７】
まず、電力情報と構成情報とを表示部３１に表示する場合の表示システム１０の動作について説明する。
【００５８】
本実施形態に係るプログラムは、情報端末３の表示部３１に、計測システム２０が計測した施設５における消費電力量に関する電力量情報及び超過電力量情報に応じた改善電力量に関する改善情報を表示するためのプログラムである。ここで、改善電力量は、超過電力量情報に含まれる電力量のうち節約可能な電力量である。つまり、本実施形態に係るプログラムは、表示制御装置１のコンピュータを、取得部１００、抽出部１０１及び表示制御部１０２として機能させるためのプログラムである。
【００５９】
取得部１００は、電流センサ２２〜２８で計測された複数の設備（受変電設備６１及び負荷機器５０）の消費電力量と、計測された日時とを含む電力量情報を、蓄積サーバ２から取得する。
【００６０】
抽出部１０１は、各設備について、計測システム２０が計測したすべての非稼働情報及びすべての稼働情報を、蓄積サーバ２から抽出する。
【００６１】
抽出部１０１は、各設備について、取得した複数の電力量情報（非稼働情報）のうち基準電力を超えている消費電力量を含む電力量情報（非稼働情報）を抽出する。抽出部１０１は、抽出した電力量情報と、改善電力量とを含む超過電力量情報を生成する。
【００６２】
表示制御部１０２は、情報端末３からの要求に応じて、第１画面２００を作成し、表示部３１に表示する。具体的には、表示制御部１０２は、計測が開始されてから現在までの期間を1ヶ月ごとのグループに分割する。表示制御部１０２は、設備ごとに、当該設備に対するすべての超過電力量情報を、対応するグループに分類する。例えば、超過電力量情報に含まれる消費電力量が計測された日時に対応するグループに当該超過電力量は分類される。表示制御部１０２は、分類したグループごとに、超過電力量情報が含まれる日数をカウントする。表示制御部１０２は、超過電力量情報が含まれる日数に応じて、該当する月において非稼働状態とみなされる期間の消費電力量に対する評価結果の表示色を決定する。例えば、超過電力量情報が含まれる日数が０日であれば白色に、１〜２日であれば表示色を黄色に、３〜４日であれば表示色を橙色に、５日以上であれば表示色を赤色に、それぞれ決定する。つまり、負荷機器５０の電源の切り忘れが無い月の表示色は白色に、電源の切り忘れが１〜２日であれば表示色は黄色に、３〜４日であれば表示色は橙色に、５日以上であれば表示色は赤色に、それぞれ決定される。さらに、表示制御部１０２は、計測が開始されてから現在までの期間に含まれるすべての超過電力量情報の改善電力量の合計を算出し、その結果を改善情報とする。表示制御部１０２は、各設備について、月ごとに決定された表示色（月ごとの評価結果）及び改善情報を含む第１画面２００を生成する。
【００６３】
表示制御部１０２は、情報端末３からの要求に応じて、第２画面３００を作成し、表示部３１に表示する。具体的には、表示制御部１０２は、指定された年を1ヶ月ごとのグループに分割する。表示制御部１０２は、設備ごとに、当該設備に対するすべての超過電力量情報のうち指定された年に計測された消費電力量を含む超過電力量情報を、対応するグループに分類する。表示制御部１０２は、分類したグループごとに、超過電力量情報が含まれる日数をカウントする。表示制御部１０２は、超過電力量情報が含まれる日数に応じて、該当する月において非稼働状態とみなされる期間の消費電力量に対する評価結果の表示色を決定する。例えば、表示制御部１０２は、１ヶ月を３つの期間（第１〜第３期間）に分割し、各期間について超過電力量情報が含まれる日数が０日であれば白色に、１〜２日であれば表示色を黄色に、３〜４日であれば表示色を橙色に、５日以上であれば表示色を赤色に、それぞれ決定する。つまり、第１〜第３期間のうち負荷機器５０の電源の切り忘れが無い期間の表示色は白色に、電源の切り忘れが１〜２日である期間の表示色は黄色に、３〜４日である期間の表示色は橙色に、５日以上である期間の表示色は赤色に、それぞれ決定される。さらに、表示制御部１０２は、指定された年に含まれるすべての超過電力量情報の改善電力量の合計を算出し、その結果を改善情報とする。表示制御部１０２は、各設備について、月ごとに決定された表示色（月ごとの評価結果）及び改善情報を含む第２画面３００を生成する。
【００６４】
表示制御部１０２は、情報端末３からの要求に応じて、第３画面４００を作成し、表示部３１に表示する。具体的には、表示制御部１０２は、指定された月を１日ごとのグループに分割する。表示制御部１０２は、設備ごとに、当該設備に対するすべての超過電力量情報のうち指定された月に計測された消費電力量を含む超過電力量情報を、対応するグループに分類する。表示制御部１０２は、分類したグループごとに、超過電力量情報が含まれるか否かを判断する。表示制御部１０２は、判断結果に応じて、該当する日において非稼働状態とみなされる期間の消費電力量に対する評価結果の表示色を決定する。例えば、グループに超過電力量情報が含まれると判断する場合には表示色を黄色に、グループに超過電力量情報が含まれないと判断する場合には白色に、それぞれ決定する。つまり、負荷機器５０の電源の切り忘れが無い日の表示色は白色に、電源の切り忘れた日があれば表示色は黄色に決定される。さらに、表示制御部１０２は、指定された月に含まれるすべての超過電力量情報の改善電力量の合計を算出し、その結果を改善情報とする。表示制御部１０２は、各設備について、日ごとに決定された表示色（日ごとの評価結果）及び改善情報を含む第３画面４００を生成する。
【００６５】
表示制御部１０２は、情報端末３からの要求に応じて、第４画面５００を作成し、表示部３１に表示する。具体的には、表示制御部１０２は、指定された週を曜日ごとのグループに分割する。表示制御部１０２は、設備ごとに、当該設備に対するすべての超過電力量情報のうち指定された曜日に計測された消費電力量を含む超過電力量情報を、対応するグループに分類する。表示制御部１０２は、分類したグループごとに、該当する曜日における非稼働状態とみなされる期間における消費電力量に対する評価結果の表示色を決定する。ここでは、表示制御部１０２は、非稼働状態とみなされる期間における１時間ごとの消費電力量に対する評価結果の表示色を決定する。表示制御部１０２は、非稼働状態とみなされる期間のうち超過電力量情報に含まれる消費電力量が計測されていない時間帯については、表示色を白色に決定する。表示制御部１０２は、非稼働状態とみなされる期間のうち超過電力量情報に含まれる消費電力量が計測された時間帯については、計測された消費電力量に応じて、表示色を決定する。例えば、表示制御部１０２は、計測された消費電力量が基準電力の１．５倍未満である場合には表示色を黄色に、１．５倍以上２．０未満である場合には表示色を橙色に、２．０以上である場合には表示色を赤色に、それぞれ決定する。つまり、負荷機器５０の電源の切り忘れが発生している場合において、その負荷機器５０の消費電力量に応じて表示色が変更される。さらに、表示制御部１０２は、指定された週に含まれる超過電力量情報の改善電力量の合計を算出し、その結果を改善情報とする。表示制御部１０２は、各設備について、月ごとに決定された表示色（曜日ごとの評価結果）及び改善情報を含む第４画面５００を生成する。
【００６６】
表示制御部１０２は、情報端末３からの要求に応じて、特定の設備について指定された月におけるすべての非稼働情報及び稼働情報の消費電力をグラフ形式とする第５画面６００を作成し、表示部３１に表示する。具体的には、表示制御部１０２は、指定された月に計測された電力量情報に基づいて、時間軸に沿った消費電力量の電力グラフを日ごとに作成する。表示制御部１０２は、指定された月に含まれる超過電力量情報の改善電力量の合計を算出し、その結果を改善情報とする。表示制御部１０２は、指定された月の日ごとに、当該日に計測された消費電力量を含む超過電力量情報が存在する場合には、当該日に対応する電力グラフの背景の表示色を黄色に決定する。超過電力情報が存在しない日の電力グラフの背景については、表示色を白色とする。表示制御部１０２は、特定の設備について、日ごとに作成された電力グラフ、電力グラフの背景色及び改善情報を含む第５画面６００を生成する。表示制御部１０２は、電力グラフにおいて抽出部１０１が予め記憶している開始時刻、終了時刻及び基準電力を表す線分を、さらに表示させる。
【００６７】
表示制御部１０２は、情報端末３からの要求に応じて、特定の設備について指定された日におけるすべての非稼働情報及び稼働情報の消費電力をグラフ形式とする第６画面７００を作成し、表示部３１に表示する。具体的には、表示制御部１０２は、指定された日に計測された電力量情報に基づいて、時間軸に沿った消費電力量の電力グラフを作成する。表示制御部１０２は、指定された日に含まれる超過電力量情報の改善電力量の合計を算出し、その結果を改善情報とする。表示制御部１０２は、指定された日に計測された消費電力量を含む超過電力量情報が存在する場合には、当該日に対応する電力グラフの背景の表示色を黄色に決定する。超過電力情報が存在しない場合の電力グラフの背景については、表示色を白色とする。表示制御部１０２は、特定の設備について作成された電力グラフ、電力グラフの背景色及び改善情報を含む第６画面７００を生成する。表示制御部１０２は、電力グラフにおいて抽出部１０１が予め記憶している開始時刻、終了時刻及び基準電力を表す線分を、さらに表示させる。
【００６８】
（４）画面
ここでは、表示部３１で表示する画面について説明する。
【００６９】
（４．１）第１画面
まず、第１画面２００について説明する。なお、図３の参照符号及び領域を囲む一点鎖線は、説明のために記載しているのみであり、実際の画面には表示されない。以下、図４〜図８においても同様である。
【００７０】
本実施形態の第１画面２００は、図３に示すように、設備表示領域２０１、評価結果表示領域２０２及び改善情報表示領域２０３を含んでいる。
【００７１】
設備表示領域２０１には、計測対象の設備に係る情報が表示される。本実施形態では、設備の識別情報及び名称が表示される。
【００７２】
評価結果表示領域２０２には、計測が開始されてから現在までの期間における月ごとの評価結果が時系列に並んで表示される。図３では、２０１５年１月〜２０１８年１２月を期間として、各月の評価結果が表示されている。各月の評価結果は、表示制御部１０２が決定した表示色で表示される。これにより、例えば、識別情報が［回路１−１］である設備では、２０１５年７月において電源の消し忘れが５日以上あったことが評価結果として表示される。
【００７３】
改善情報表示領域２０３には、設備ごとの改善情報が表示される。つまり、改善情報表示領域２０３には、計測が開始されてから現在までの期間において、電源の消し忘れがあったために生じた消費電力量の合計値が表示されるので、利用者は、電源の消し忘れが生じていなければ削減できた消費電力量を知ることができる。
【００７４】
第１画面２００において、評価結果表示領域２０２に表示された複数の年のうち１つの年が表示された領域をタップすると、タップされた領域に表示された年を指定年とする第２画面３００へと画面が遷移する。つまり、情報端末３０の表示部３１が第１画面２００を表示している場合に特定の年が表示された領域がタップされると、表示制御部１０２は、タップされた領域に表示された年を指定年とする第２画面３００を作成し、表示部３１に表示する。例えば、図３に示す第１画面２００において、“２０１７年”が表示された領域２１０がタップされると、指定年を２０１７年とする第２画面３００が生成される。
【００７５】
また、第１画面２００において、評価結果表示領域２０２に表示された複数の月のうち１つの月が表示された領域をタップすると、タップされた領域に表示された月を指定月とする第３画面４００へと画面が遷移する。つまり、情報端末３０の表示部３１が第１画面２００を表示している場合に特定の月が表示された領域がタップされると、表示制御部１０２は、タップされた領域に表示された月を指定月とする第３画面４００を作成し、表示部３１に表示する。例えば、図３に示す第１画面２００において、“２０１７年２月”が表示された領域２１１がタップされると、指定月を２０１７年２月とする第３画面４００が生成される。
【００７６】
（４．２）第２画面
本実施形態の第２画面３００は、図４に示すように、設備表示領域３０１、評価結果表示領域３０２、改善情報表示領域３０３、第１ボタン表示領域３０４、第２ボタン表示領域３０５及び第３ボタン表示領域３０６を含んでいる。
【００７７】
設備表示領域３０１には、計測対象の設備に係る情報が表示される。本実施形態では、設備の識別情報及び名称が表示される。
【００７８】
評価結果表示領域３０２には、指定された年における月ごとの評価結果が時系列に並んで表示される。図４では、２０１７年を指定年として、２０１７年の各月の評価結果が表示されている。各月の評価結果は、表示制御部１０２が決定した表示色で表示される。上述したように、第２画面３００で表示される各月は、３つの期間（第１〜第３期間）に分割される。第１期間を上旬、第２期間を中旬、第３期間を下旬とした場合に、識別情報が［回路１−１］である設備では、２０１７年９月の下旬において電源の消し忘れが４日以下あったことが評価結果として表示される。
【００７９】
改善情報表示領域３０３には、設備ごとの改善情報が表示される。つまり、改善情報表示領域３０３には、指定された年において、電源の消し忘れがあったために生じた消費電力量の合計値が表示されるので、利用者は、指定された年において電源の消し忘れが生じていなければ削減できた消費電力量を知ることができる。
【００８０】
第１ボタン表示領域３０４には、指定年を前年に変更するためのボタン３１０が表示される。ボタン３１０がタップされると、現在表示されている第２画面３００の指定年を前年に変更した第２画面３００が表示される。例えば、図４では、指定年として２０１７年が指定されている。このとき、ボタン３１０がタップされると、指定年を２０１６年とする第２画面３００へと画面が遷移する。
【００８１】
第２ボタン表示領域３０５には、指定年を翌年に変更するためのボタン３１１が表示される。ボタン３１１がタップされると、現在表示されている第２画面３００の指定年を翌年に変更した第２画面３００が表示される。例えば、図４では、指定年として２０１７年が指定されている。このとき、ボタン３１１がタップされると、指定年を２０１８年とする第２画面３００へと画面が遷移する。
【００８２】
第３ボタン表示領域３０６には、第１画面２００へと画面遷移するためのボタン３１２が表示される。ボタン３１２がタップされると、現在表示されている第２画面３００から第１画面２００へと画面が遷移する。
【００８３】
また、第２画面３００において、評価結果表示領域３０２に表示された複数の月のうち１つの月が表示された領域をタップすると、タップされた領域に表示された月を指定月とする第３画面４００へと画面が遷移する。例えば、図４に示す第２画面３００において、“２０１７年２月”が表示された領域３２１がタップされると、指定月を２０１７年２月とする第３画面４００が生成される。
【００８４】
（４．３）第３画面
本実施形態の第３画面４００は、図５に示すように、設備表示領域４０１、評価結果表示領域４０２、改善情報表示領域４０３、第１ボタン表示領域４０４、第２ボタン表示領域４０５、第３ボタン表示領域４０６及び第４ボタン表示領域４０７を含んでいる。
【００８５】
設備表示領域４０１には、計測対象の設備に係る情報が表示される。本実施形態では、設備の識別情報及び名称が表示される。
【００８６】
評価結果表示領域４０２には、指定された月における日ごとの評価結果が時系列に並んで表示される。図５では、２０１７年２月を指定月として、２０１７年２月の日ごとの評価結果が表示されている。日ごとの評価結果は、表示制御部１０２が決定した表示色で表示される。例えば、識別情報が［回路３−３］である設備では、２０１７年２月６日において電源の消し忘れがあったことが評価結果として表示される。
【００８７】
改善情報表示領域４０３には、設備ごとの改善情報が表示される。つまり、改善情報表示領域４０３には、指定された月において、電源の消し忘れがあったために生じた消費電力量の合計値が表示されるので、利用者は、指定された月において電源の消し忘れが生じていなければ削減できた消費電力量を知ることができる。
【００８８】
第１ボタン表示領域４０４には、指定月を前月に変更するためのボタン４１０が表示される。ボタン４１０がタップされると、現在表示されている第３画面４００の指定月を前月に変更した第３画面４００が表示される。例えば、図５では、指定月として２０１７年２月が指定されている。このとき、ボタン４１０がタップされると、指定月を２０１７年１月とする第３画面４００へと画面が遷移する。
【００８９】
第２ボタン表示領域４０５には、指定月を翌月に変更するためのボタン４１１が表示される。ボタン４１１がタップされると、現在表示されている第３画面４００の指定月を翌月に変更した第３画面４００が表示される。例えば、図５では、指定月として２０１７年２月が指定されている。このとき、ボタン４１１がタップされると、指定月を２０１７年３月とする第３画面４００へと画面が遷移する。
【００９０】
第３ボタン表示領域４０６には、第１画面２００へと画面遷移するためのボタン４１２が表示される。ボタン４１２がタップされると、現在表示されている第３画面４００から第１画面２００へと画面が遷移する。
【００９１】
第４ボタン表示領域４０７には、第２画面３００へと画面遷移するためのボタン４１３が表示される。ボタン４１３がタップされると、現在表示されている第３画面４００から第２画面３００へと画面遷移する。例えば、図５では、指定月として２０１７年２月が指定されている。このとき、ボタン４１３がタップされると、第３画面４００の指定月を含む年である２０１７年を指定年とする第２画面３００へと画面が遷移する。
【００９２】
第３画面４００において、評価結果表示領域４０２に表示された複数の日のうち１つの日が表示された領域をタップすると、タップされた領域に表示された日を１週間の開始日とする第４画面５００へと画面が遷移する。例えば、図５に示す第３画面４００において、“１日”が表示された領域４２１がタップされると、２月１日を１週間の開始日とする第４画面５００が生成される。
【００９３】
また、第３画面４００において、評価結果表示領域４０２のうち、特定の設備の評価結果が表示されている領域内をタップすると、当該設備に対する第５画面６００へと画面が遷移する。例えば、図５に示す第３画面４００において、識別情報が［回路３−３］である設備の評価結果が表示されている領域４２２内がタップされると、第３画面４００から識別情報が［回路３−３］である設備に対する第５画面６００へと画面が遷移する。
【００９４】
（４．４）第４画面
本実施形態の第４画面５００は、図６に示すように、設備表示領域５０１、評価結果表示領域５０２、改善情報表示領域５０３、第１ボタン表示領域５０４、第２ボタン表示領域５０５、第３ボタン表示領域５０６、第４ボタン表示領域５０７及び第５ボタン表示領域５０８を含んでいる。
【００９５】
設備表示領域５０１には、計測対象の設備に係る情報が表示される。本実施形態では、設備の識別情報及び名称が表示される。
【００９６】
評価結果表示領域５０２には、指定された週における日ごとの評価結果が時系列に並んで表示される。図６では、２０１７年２月１日を週の開始日として、１週間の日ごとの評価結果が表示されている。日ごとの評価結果は、表示制御部１０２が決定した表示色で表示される。例えば、識別情報が［回路３−３］である設備では、２０１７年２月１日において設備が稼働状態とみなす期間において消費電力が基準電力より１．５倍未満の時間帯と、２．０倍に未満の時間帯とがあったことが評価結果として表示される。
【００９７】
なお、上述したように、表示制御部１０２は、非稼働状態とみなされる期間における１時間ごとの消費電力量に対する評価結果の表示色を決定している。図５では、紙面の都合上、非稼働状態とみなされる期間において同一評価が継続する場合には継続する期間を１つの表示表域として扱っている。
【００９８】
改善情報表示領域５０３には、設備ごとの改善情報が表示される。つまり、改善情報表示領域５０３には、指定された週において、電源の消し忘れがあったために生じた消費電力量の合計値が表示されるので、利用者は、指定された週において電源の消し忘れが生じていなければ削減できた消費電力量を知ることができる。
【００９９】
第１ボタン表示領域５０４には、指定週を前週に変更するためのボタン５１０が表示される。ボタン５１０がタップされると、現在表示されている第４画面５００の指定週を前週に変更した第４画面５００が表示される。例えば、図６では、指定週として２０１７年２月１日から２月７日までの１週間が指定されている。このとき、ボタン５１０がタップされると、指定週を２０１７年１月２５日から１月３１日までの１週間を指定週とする第４画面５００へと画面が遷移する。
【０１００】
第２ボタン表示領域５０５には、指定週を翌週に変更するためのボタン５１１が表示される。ボタン５１１がタップされると、現在表示されている第４画面５００の指定月を翌週変更した第４画面５００が表示される。例えば、図６では、指定週として２０１７年２月１日から２月７日までの１週間が指定されている。このとき、ボタン５１１がタップされると、指定週を２０１７年２月８日から２月１４日までの１週間を指定週とする第４画面５００へと画面が遷移する。
【０１０１】
第３ボタン表示領域５０６には、第１画面２００へと画面遷移するためのボタン５１２が表示される。ボタン５１２がタップされると、現在表示されている第４画面５００から第１画面２００へと画面が遷移する。
【０１０２】
第４ボタン表示領域５０７には、第２画面３００へと画面遷移するためのボタン５１３が表示される。ボタン５１３がタップされると、現在表示されている第４画面５００から第２画面３００へと画面遷移する。例えば、図６では、指定週として２０１７年２月１日から２月７日までの１週間が指定されている。このとき、ボタン５１３がタップされると、第４画面５００の指定週を含む年である２０１７年を指定年とする第２画面３００へと画面が遷移する。
【０１０３】
また、第４画面５００において、評価結果表示領域４０２内において特定の設備の評価結果が表示されている領域のうち特定の日の評価結果が表示されている領域内をタップすると、当該設備に対する第６画面７００へと画面が遷移する。例えば、図６に示す第４画面５００において、識別情報が［回路３−３］である設備の評価結果が表示されている領域５２１のうち２月６日の評価結果が表示されている領域５２２内がタップされると、第４画面５００から識別情報が［回路３−３］である設備の２月６日に対する第６画面７００へと画面が遷移する。
【０１０４】
（４．５）第５画面
本実施形態の第５画面６００は、図７に示すように、評価結果表示領域６０１、月選択表示領域６０２、改善情報表示領域６０３、閾値表示領域６０４、非稼働時間帯表示領域６０５、第１ボタン表示領域６０６、第２ボタン表示領域６０７、第３ボタン表示領域６０８及び第４ボタン表示領域６０９を含んでいる。
【０１０５】
評価結果表示領域６０１は、特定の設備の指定された月における評価結果及び計測結果を表示する領域である。評価結果表示領域６０１は、設備表示領域６１０及びグラフ表示領域６１１を有している。
【０１０６】
設備表示領域６１０には、指定された設備に係る情報が表示される。
【０１０７】
グラフ表示領域６１１には、カレンダ形式で、指定された月の日ごとの電力グラフＧ１が表示される。グラフ表示領域６１１には、電力グラフＧ１が表示される際に、非稼働状態とみなされる開始時刻を表す第１線分６３０、終了時刻を表す第２線分６３１及び基準電力を表す第３線分６３２も表示される。なお、図７では、第１線分６３０、第２線分ン６３１及び第３線分６３２は、破線で表されているが、この線種は一例であり、線種を破線に限定する趣旨ではない。
【０１０８】
また、グラフ表示領域６１１で表示される日ごとの電力グラフＧ１の背景色は、表示制御部１０２が決定した表示色で表示される。非稼働状態とみなされる期間において、計測された消費電力量が基準電力を超えている場合には、その日の電力グラフＧ１の背景色は黄色になる。例えば、２月６日では、非稼働状態とみなされる期間において消費電力量が基準電力を超えているので、電力グラフＧ１の背景色は黄色になる。
【０１０９】
また、電力グラフＧ１は、設備が稼働状態であるとみなされる期間（第２線分６３１から次の非稼働状態の開始時刻を表す第１線分６３０までの期間）におけるグラフの色と、他の期間（０時から第２線分６３１で表される時刻までの期間、第１線分６３０で表される時刻から０時までの期間）におけるグラフの色とが異なるように、表示制御部１０２はグラフの色を決定してもよい。
【０１１０】
月選択表示領域６０２は、第５画面６００として表示する際の指定月を“年月”で表示される。また、月選択表示領域６０２には、プルダウンボタン６４１，６４２が表示されている。プルダウンボタン６４１，６４２を用いて、指定月を“年月”で選択することが可能となる。
【０１１１】
改善情報表示領域６０３には、指定された設備の指定された月の改善情報が表示される。つまり、改善情報表示領域６０３には、指定された設備について、指定された月において電源の消し忘れがあったために生じた消費電力量の合計値が表示されるので、利用者は、指定された月において電源の消し忘れが生じていなければ削減できた消費電力量を知ることができる。
【０１１２】
閾値表示領域６０４には、基準電力が表示される。つまり、第３線分６３２の値が表示される。非稼働時間帯表示領域６０５には、指定された設備について非稼働状態とみなされる期間の開始時刻と終了時刻とが表示される。つまり、第１線分６３０及び第２線分６３１で表される時刻が表示される。ここでは、２２：００〜０６：００の期間が非稼働時間帯として設定されている。本実施形態では、非稼働状態とみなされる期間は、開始時刻から翌日の終了時刻までの期間である。例えば、７月１日２２：００〜７月２日０６：００が非稼働状態とみなされる期間である。
【０１１３】
第１ボタン表示領域６０６には、指定月を前月に変更するためのボタン６２０が表示される。ボタン６２０がタップされると、現在表示されている第３画面４００の指定月を前月に変更した第５画面６００が表示される。例えば、図７では、指定月として２０１５年７月が指定されている。このとき、ボタン６２０がタップされると、指定月を２０１７年６月とする第５画面６００へと画面が遷移する。
【０１１４】
第２ボタン表示領域６０７には、指定月を翌月に変更するためのボタン６２１が表示される。ボタン６２１がタップされると、現在表示されている第５画面６００の指定月を翌月に変更した第５画面６００が表示される。例えば、図７では、指定月として２０１５年７月が指定されている。このとき、ボタン６２１がタップされると、指定月を２０１５年８月とする第５画面６００へと画面が遷移する。
【０１１５】
第３ボタン表示領域６０８には、第１画面２００へと画面遷移するためのボタン６２２が表示される。ボタン６２２がタップされると、現在表示されている第５画面６００から第１画面２００へと画面が遷移する。
【０１１６】
第４ボタン表示領域６０９には、第２画面３００へと画面遷移するためのボタン６２３が表示される。ボタン６２３がタップされると、現在表示されている第５画面６００から第２画面３００へと画面遷移する。例えば、図７では、指定月として２０１５年７月が指定されている。このとき、ボタン６２３がタップされると、第５画面６００の指定月を含む年である２０１５年を指定年とする第２画面３００へと画面が遷移する。
【０１１７】
また、第５画面６００において、評価結果表示領域６０１で表示される複数の電力グラフＧ１のうち１つの電力グラフＧ１が表示された領域をタップすると、タップされた電力グラフに対応する日と指定日とする第６画面７００へと画面が遷移する。例えば、図６に示す第５画面６００において、７月７日に対応する電力グラフＧ１が表示されている領域をタップすると、識別情報が［回路３−３］である設備について７月７日を指定日とする第６画面７００が作成される。
【０１１８】
（４．６）第６画面
本実施形態の第６画面７００は、図８に示すように、評価結果表示領域７０１、閾値表示領域７０２、非稼働時間帯表示領域７０３、第１ボタン表示領域７０４、第２ボタン表示領域７０５、第３ボタン表示領域７０６及び第４ボタン表示領域７０７を含んでいる。
【０１１９】
評価結果表示領域７０１は、特定の設備の指定された日における評価結果及び計測結果を表示する領域である。評価結果表示領域７０１は、対象日表示領域７１０及びグラフ表示領域７１１を有している。
【０１２０】
対象日表示領域７１０は、指定日表示領域７２０、前日表示領域７２１及び翌日表示領域７２２を有する。指定日表示領域７２０には指定日が、前日表示領域７２１には指定日の前日が、翌日表示領域７２２には指定日の翌日が、それぞれ表示される。
【０１２１】
グラフ表示領域６１１には、指定日の電力グラフＧ１が指定日表示領域７２０で表示された指定日に対応するように表示される。グラフ表示領域６１１には、指定日の前日における電力グラフＧ１のうち少なくとも非稼働状態とみなされる開始時刻以降の電力グラフＧ１が表示される。さらに、グラフ表示領域６１１には、指定日の翌日における電力グラフＧ１のうち少なくとも非稼働状態とみなされる終了時刻までの電力グラフＧ１が表示される。
【０１２２】
また、グラフ表示領域６１１には、指定日の前日及び指定日に対する第１線分６３０が表示される。グラフ表示領域６１１には、指定日及び指定日の翌日に対する第２線分６３１が表示される。さらに、グラフ表示領域６１１には、第３線分６３２が表示される。なお、図８では、第１線分６３０、第２線分６３１及び第３線分６３２は、破線で表されているが、この線種は一例であり、線種を破線に限定する趣旨ではない。
【０１２３】
また、第６画面７００における電力グラフＧ１は、設備が稼働状態であるとみなされる期間におけるグラフの色と、他の期間（０時から第２線分で表される時刻までの期間、第１線分で表される時刻から０時までの期間）におけるグラフの色とが異なるように、表示制御部１０２はグラフの色を決定してもよい。
【０１２４】
本実施形態では、非稼働の状態とみなされる期間は、２２：００〜０６：００であるので、指定日における非稼働の状態とみなされる期間は、前日の２２：００から継続している期間と、指定日の２２：００から翌日に継続する期間の２つの期間がある。そこで、図８に示すように、指定日に対する電力グラフＧ１を表示する際に、指定日の前後についても表示することで、これら２つの期間における消費電力量の推移を利用者は知ることができる。
【０１２５】
また、グラフ表示領域６１１で表示される指定日の電力グラフＧ１の背景色は、表示制御部１０２が決定した表示色で表示される。非稼働状態とみなされる期間において、計測された消費電力量が基準電力を超えている場合には、その日の電力グラフＧ１の背景色は黄色になる。図８では、２２：００以降で計測された消費電力が基準電力を超えているので、指定日における電力グラフＧ１の背景色は、黄色になる。
【０１２６】
第１ボタン表示領域７０４には、指定日を前日に変更するためのボタン７３０が表示される。ボタン７３０がタップされると、現在表示されている第６画面７００の指定日を前日に変更した第６画面７００が表示される。例えば、図８では、指定日として２０１５年７月７日が指定されている。このとき、ボタン７３０がタップされると、指定日を２０１７年７月６日とする第６画面７００へと画面が遷移する。
【０１２７】
第２ボタン表示領域７０５には、指定日を翌日に変更するためのボタン７３１が表示される。ボタン７３１がタップされると、現在表示されている第６画面７００の指定日を翌日に変更した第６画面７００が表示される。例えば、図８では、指定日として２０１５年７月７日が指定されている。このとき、ボタン７３１がタップされると、指定日を２０１５年７月８日とする第６画面７００へと画面が遷移する。
【０１２８】
第３ボタン表示領域７０６には、第５画面６００へと画面遷移するためのボタン７３２が表示される。ボタン７３２がタップされると、現在表示されている第６画面７００から第５画面６００へと画面が遷移する。例えば、図８では、指定日として２０１５年７月７日が指定されている。このとき、ボタン７３２がタップされると、第６画面７００の指定日を含む月である２０１５年７月を指定月とする第５画面６００へと画面が遷移する。
【０１２９】
第４ボタン表示領域７０７には、第４画面５００へと画面遷移するためのボタン７３３が表示される。ボタン７３３がタップされると、現在表示されている第６画面７００から第４画面５００へと画面遷移する。例えば、図８では、指定日として２０１５年７月７日が指定されている。このとき、ボタン７３３がタップされると、第６画面７００の指定日を開始日とする１週間に対する第４画面５００へと画面が遷移する。なお、ボタン７３３がタップされた場合、第４画面５００においてすべての設備を表示する代わりに特定の設備のみについて表示してもよい。
【０１３０】
（５）変形例
以下に、変形例について列記する。なお、以下に説明する変形例は、上記実施形態と適宜組み合わせて適用可能である。
【０１３１】
上記実施形態では、表示制御部１０２は、情報端末３の表示部３１に表示する画面（第１画面２００〜第６画面７００）を作成する構成としたが、この構成に限定されない。表示制御部１０２は、情報端末３に所望の表示画面を表示させるための画面情報を作成してもよい。例えば、情報端末３が表示画面を表示するためのアプリケーションを有していれば、画面情報はアプリケーションと共同して表示画面を表示するためのデータであってもよい。また例えば、情報端末３のアプリケーションが表示画面の画像データの全てを有していれば、画面情報は、画像データにより表示画面を構成するためのデータであってもよい。あるいは、情報端末３のアプリケーションが表示画面の画像データの一部を有していれば、画面情報は、画像データの残りの部分であってもよい。
【０１３２】
上記実施形態において、電力グラフＧ１は、折れ線グラフとして表示されてもよい。
【０１３３】
上記実施形態では、施設５には複数のコントローラ２１が設けられる構成としたが、この構成に限定されない。１つのコントローラ２１が、施設５に設けられてもよい。つまり、施設５には、１つ以上のコントローラ２１が設けられていればよい。
【０１３４】
上記実施形態では、表示制御装置１と蓄積サーバ２とは個別の装置とする構成としたが、この構成に限定されない。表示制御装置１と蓄積サーバ２とを１つの装置として構成してもよい。
【０１３５】
上記実施形態では、第５画面６００及び第６画面７００で表示される電力グラフＧ１において、稼働状態であるとみなされる期間（時間帯）における消費電力を含めている。しかしながら、第５画面６００及び第６画面７００で表示される電力グラフＧ１において、稼働状態であるとみなされる期間（時間帯）における消費電力を含めることは必須ではない。つまり、第５画面６００及び第６画面７００で表示される電力グラフＧ１では、少なくとも非稼働状態であるとみなされる期間（時間帯）における消費電力を含んでいればよい。
【０１３６】
上記実施形態において、電力グラフＧ１は、設備が稼働状態であるとみなされる期間と他の期間とでグラフの色とが異なるように表示する構成としたが、この構成に限定されない。電力グラフＧ１は、設備が稼働状態であるとみなされる期間と他の期間とでグラフの色とを同一色として表示してもよい。
【０１３７】
上記実施形態において、表示制御装置１は、計測された計測値のデータが少ない設備について評価ができない場合、又は開始時刻及び終了時刻が求められない場合には、当該設備の評価ができないことを識別できる色で当該設備の評価結果を表示部３１に表示してもよい。
【０１３８】
上記実施形態は、本開示の様々な実施形態の一つに過ぎない。上記実施形態は、本開示の目的を達成できれば、設計等に応じて種々の変更が可能である。また、表示システム１０（表示制御装置１）と同様の機能は、表示方法、コンピュータプログラム、又はプログラムを記録した記録媒体等で具現化されてもよい。一態様に係る表示システム１０の表示方法は、情報端末３が有する表示部３１に情報を表示する方法である。表示方法は、抽出ステップと、表示ステップとを含む。抽出ステップは、施設５における複数の設備（受変電設備６１、負荷機器５０）の各々について、当該設備で計測された当該設備の電力に関連する電力情報のうち、少なくとも当該設備が非稼働状態とみなされる期間の電力情報を非稼働情報として抽出する。表示ステップは、複数の設備の各々について、非稼働情報に基づいた当該期間における電力使用の評価結果及び非稼働情報で表される電力量のうち節約可能な改善電力量に関連する改善情報を、表示部３１に表示させる。一態様に係るプログラムは、コンピュータシステムを、上述した表示方法又は表示システムとして機能させるためのプログラムである。
【０１３９】
本開示における表示システム１０（表示制御装置１）又は表示方法の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における表示システム１０又は表示方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１又は複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１４０】
コンピュータシステムである表示システム１０（表示制御装置１）は、１又は複数のコンピュータで構成されるシステムであってもよい。例えば、表示システム１０の少なくとも一部の機能は、クラウド（クラウドコンピューティング）によって実現されてもよい。
【０１４１】
（まとめ）
以上説明したように、第１の態様の表示方法は、情報端末（３０）が有する表示部（３１）に情報を表示する方法である。表示方法は、抽出ステップと、表示ステップとを含む。抽出ステップは、施設（５）における複数の設備（受変電設備６１、負荷機器５０）の各々について、当該設備で計測された当該設備の電力に関連する電力情報のうち、少なくとも当該設備が非稼働状態とみなされる期間の電力情報を非稼働情報として抽出する。表示ステップは、複数の設備の各々について、非稼働情報に基づいた期間における電力使用の評価結果及び非稼働情報で表される電力のうち節約可能な改善電力に関連する改善情報を、表示部（３１）に表示させる。
【０１４２】
この表示方法によると、施設（５）の設備が非稼働状態とみなされる期間における電力使用についての評価及び当該期間において節約可能な電力に関する情報を表示する。これにより、利用者は、設備が非稼働状態とみなされる期間における電力使用についての評価及び当該期間において節約可能な電力に関する情報について知ることができる。
【０１４３】
第２の態様の表示方法では、第１の態様において、表示ステップは、非稼働情報で表される電力に対応付けられた色で評価結果を、表示部（３１）に表示させる。
【０１４４】
この表示方法によると、評価結果に応じて色を分けて表示するので、利用者は一目で評価結果を認識することができる。
【０１４５】
第３の態様の表示方法では、第１又は第２の態様において、表示ステップは、評価結果を時系列に並べて表示部（３１）に表示させる。
【０１４６】
この表示方法によると、評価結果を時系列に並べて表示部（３１）に表示させるので、利用者は、評価結果の時間的推移を知ることができる。
【０１４７】
第４の態様の表示方法では、第３の態様において、時系列は、年、月及び週のいずれかである。
【０１４８】
この表示方法によると、年、月及び週のいずれかに応じた時間的推移での評価結果を利用者は知ることができる。
【０１４９】
第５の態様の表示方法では、第４の態様において、時系列を週及び日のいずれかとして評価結果が表示されている場合に特定の設備に対して表示内容を変更する指示が情報端末（３０）で受け付けられる。この場合、表示ステップは、特定の設備における特定月の非稼働情報、又は特定の設備における特定日の非稼働情報を、時間経過に応じた電力グラフ（Ｇ１）で表示部（３１）に表示させる。
【０１５０】
この表示方法によると、設備における特定月の非稼働情報、又は特定の設備における特定日の非稼働情報が表す電力についてグラフ形式で、利用者は知ることができる。
【０１５１】
第６の態様の表示方法では、第５の態様において、表示ステップは、電力グラフ（Ｇ１）を表示部（３１）に表示させる場合に、非稼働状態とみなされる期間の開始時刻、当該期間の終了時刻、及び改善電力を求める基準となる基準電力をそれぞれ表す線分（第１線分６３０〜第３線分６３２）を、表示部（３１）にさらに表示させる。
【０１５２】
この表示方法によると、線分が表示されるので、利用者は、非稼働状態とみなされる期間において、基準電力とグラフ形式で表される電力との比較を容易に行うことができる。
【０１５３】
第７の態様の表示方法では、第５又は６の態様において、表示ステップは、期間において、改善電力が存在する場合には、電力グラフ（Ｇ１）の背景色に色付けをして電力グラフ（Ｇ１）を表示部（３１）に表示させる。
【０１５４】
この表示方法によると、利用者は、節約可能な電力に関する情報について知ることができる。
【０１５５】
第８の態様のプログラムは、コンピュータに、第１〜７のいずれかの態様の表示方法を実行させるためのプログラム。
【０１５６】
このプログラムによると、利用者は、設備が非稼働状態とみなされる期間における電力使用についての評価及び当該期間において節約可能な電力に関する情報について知ることができる。
【０１５７】
第９の態様の表示システム（１０）は、情報端末（３０）が有する表示部（３１）に情報を表示するシステムである。表示システム（１０）は、抽出部（１０１）と、表示制御部（１０２）とを備える。抽出部（１０１）は、施設（５）における複数の設備（受変電設備６１、負荷機器５０）の各々について、当該設備で計測された当該設備の電力に関連する電力情報のうち、少なくとも当該設備が非稼働状態とみなされる期間の電力情報を非稼働情報として抽出する。表示制御部（１０２）は、複数の設備の各々について、非稼働情報に基づいた期間における電力使用の評価結果及び非稼働情報で表される電力のうち節約可能な改善電力に関連する改善情報を、表示部（３１）に表示させる。
【０１５８】
この構成によると、利用者は、設備が非稼働状態とみなされる期間における電力使用についての評価及び当該期間において節約可能な電力に関する情報について知ることができる。
【符号の説明】
【０１５９】
１    表示制御装置
３    情報端末
５    施設
１０    表示システム
３０    情報端末
３１    表示部
５０    負荷機器（設備）
６１    受変電設備（設備）
１０１    抽出部
１０２    表示制御部
Ｇ１    電力グラフ
【図１】
2019144966.tif 000003
【図２】
2019144966.tif 000004
【図３】
2019144966.tif 000005
【図４】
2019144966.tif 000006
【図５】
2019144966.tif 000007
【図６】
2019144966.tif 000008
【図７】
2019144966.tif 000009
【図８】
2019144966.tif 000010